(57)【要約】【課題】視聴制限に関する規格が適用されていない放送であっても、受信側の機器において視聴制限情報を付加し、その視聴制限情報に基づいて番組の出力を制御する。【解決手段】  データ処理装置は、番組の映像情報、および、番組の案内のために利用されるガイド情報であって規格で定められた視聴制限情報とは異なるガイド情報を含む信号を受信する受信部と、予め定められた視聴制限のためのパターンがガイド情報に含まれているか否かを判定する判定部と、判定結果に基づいて番組に対する視聴を制限するか否かを決定し、番組と視聴制限の有無とを関連付けた管理情報を生成する管理情報生成部と、管理情報に基づいて、番組に関する情報の出力を制御する出力制御部とを備えている。ガイド情報は規格で定められた視聴制限情報とは異なるため、放送局が視聴制限情報を付加しなかった番組に対しても視聴制限を設定できる。【選択図】図１
2006186981.tif 000002
【特許請求の範囲】
【請求項１】
番組の映像情報、および、前記番組の案内のために利用されるガイド情報であって規格で定められた視聴制限情報とは異なるガイド情報を含む信号を受信する受信部と、
予め定められた視聴制限のためのパターンが前記ガイド情報に含まれているか否かを判定する判定部と、
判定結果に基づいて前記番組に対する視聴を制限するか否かを決定し、前記番組と視聴制限の有無とを関連付けた管理情報を生成する管理情報生成部と、
前記管理情報に基づいて、前記番組に関する情報の出力を制御する出力制御部と
を備えたデータ処理装置。
【請求項２】
前記管理情報生成部は、前記番組に対する視聴を制限すると決定するときにおいて、前記視聴制限の強さに関する複数のレベルのうちのひとつを決定する、請求項１に記載のデータ処理装置。
【請求項３】
前記番組の映像情報および前記管理情報を記録媒体に記録する記録部をさらに備えた、請求項１に記載のデータ処理装置。
【請求項４】
前記管理情報において前記番組に対する視聴が制限されていないとき、
前記出力制御部は、前記番組に関する情報を出力する、請求項１に記載のデータ処理装置。
【請求項５】
前記管理情報において前記番組に対する視聴が制限されているとき、
前記出力制御部は、前記番組に関する情報の出力を禁止する、請求項１に記載のデータ処理装置。
【請求項６】
前記ガイド情報は、前記番組のタイトルを示すタイトル情報を含み、
前記判定部は、前記パターンが前記ガイド情報内のタイトル情報に含まれているか否かを判定する、請求項１に記載のデータ処理装置。
【請求項７】
ユーザの操作に基づいて視聴制限を解除するための制限解除信号を出力する操作部をさらに備え、
前記出力制御部は、前記制限解除信号を受信すると、前記出力の禁止を解除する、請求項５に記載のデータ処理装置。
【請求項８】
前記記録媒体に記録可能な残り容量値を管理する管理部であって、前記記録媒体の全体の容量値および前記全体の容量値よりも小さい規定の容量値を保持する管理部と、
ユーザの操作に基づいて前記残量を問い合わせるための問い合わせ信号を出力する操作部と
をさらに備え、
前記管理部は、前記問い合わせ信号を受信すると、前記視聴が制限されていない番組の記録容量の総計値を前記規定の容量値から減算して、前記残り容量値として出力する、請求項３に記載のデータ処理装置。
【請求項９】
前記操作部はさらに、ユーザの操作に基づいて視聴制限を解除するための制限解除信号を出力し、
前記管理部は、前記制限解除信号を受信すると、前記記録媒体に記録されたすべての番組の記録容量の総計値を前記全体の容量値から減算して、前記残り容量値として出力する、請求項８に記載のデータ処理装置。
【請求項１０】
前記管理情報において前記番組に対する視聴が制限されているときに、前記映像情報を暗号化して出力する暗号処理部をさらに備えた、請求項１に記載のデータ処理装置。
【請求項１１】
前記暗号処理部は、
前記外部機器を認証する認証部と、
暗号鍵に基づいて前記映像情報を暗号化する暗号化部と、
認証された前記外部機器に対して、暗号化された前記映像情報および前記暗号鍵を伝送するインターフェース部と
を備えた、請求項１０に記載のデータ処理装置。
【請求項１２】
前記受信部は、デジタル放送波およびアナログ放送波の少なくとも一方を受信して復調し、前記信号を取得する、請求項１に記載のデータ処理装置。
【請求項１３】
前記出力制御部は、前記視聴制限の有無に応じて前記番組に関する情報の表示の態様を変化させる、請求項１に記載のデータ処理装置。
【請求項１４】
第１番組の映像情報を含む信号を受信するステップと、
前記信号に、規格で定められた前記第１番組の視聴制限情報が含まれているか否かを判定するステップと、
第２番組の映像情報、および、前記第２番組の案内のために利用されるガイド情報であって前記規格で定められた視聴制限情報とは異なるガイド情報を含む信号を受信するステップと、
予め定められた視聴制限のためのパターンが前記ガイド情報に含まれているか否かを判定するステップと、
前記視聴制限情報に関する判定結果および前記パターンに関する判定結果に基づいて、前記第１番組および前記第２番組に関する情報の出力を制御するステップと
を包含する、視聴制限に関する出力制御方法。
【発明の詳細な説明】
【技術分野】
【０００１】
本発明は、番組の視聴を制限するための技術に関する。より具体的には本発明は、番組の表示、録画または再生等を制限するための技術、および、視聴が制限される番組を録画した後の管理に関する。
【背景技術】
【０００２】
従来、放送番組の内容に応じてユーザの視聴を制限する技術が開発されている。多くの国では、ユーザの視聴を制限すべきか否かを示す情報（視聴制限情報）を放送に多重化するための規格が定められている。放送業者は、その規格を適用して放送を行うように推奨されている。
【０００３】
受信機や再生機はその規格の内容を踏まえて製造されており、たとえば特許文献１の装置は、放送に含まれる視聴制限情報の内容に応じて番組を出力するか否かの動作を切り替えている。
【特許文献１】特開２００１−１４５０３３号公報
【発明の開示】
【発明が解決しようとする課題】
【０００４】
視聴制限に関する規格が設けられていても、特段の制限なくユーザが任意の番組を視聴できる機会が増加している。その理由は、放送業者は視聴制限に関する規格を放送に適用するか否かを一任されており、実際には適用することなく放送を行っていることが多いからである。
【０００５】
仮にデジタル放送番組に視聴制限情報が付加されていたとしても、視聴制限ができないことがある。たとえば番組のデジタル信号がアナログ信号に変換されて機器に入力されると、視聴制限情報が除去されてしまい視聴制限ができない。また、受信装置、録画装置および表示装置がＩＥＥＥ１３９４規格などのデジタル伝送可能な規格でディジーチェーン接続されているときには、番組の録画時においてユーザは制限を受けることなく表示装置で番組を視聴できる。ＩＥＥＥ１３９４規格では、複数の機器がディジーチェーン接続されたときにおいて特定の機器のみへ出力を限定することはできず、すべての機器に同じ信号が出力されるからである。なお、アナログ伝送されるときには、録画装置が表示装置に対して映像・音声信号をミュートすればよい。
【０００６】
また、視聴制限情報を含む番組が録画されたときに、特定のユーザ以外のユーザにはその番組の存在を隠し、かつ、その番組の存在を推測させないための対策も不十分である。たとえば、そのような番組を録画済み番組の一覧に表示しないという単純な対策では不十分である。その理由は、記録媒体を内蔵したレコーダでは記録媒体への記録可能時間や空き容量を表示する機能が備えられているため、一覧表示に変更がないにもかかわらずそれらの値が変化していれば、表示されていない番組、すなわち視聴制限情報を含む番組の存在が容易に推測されるからである。
【０００７】
本発明の目的は、視聴制限に関する規格が適用されていない放送であっても、受信側の機器において視聴制限情報を付加すること、および、その視聴制限情報に基づいて番組の出力を制御することである。
【０００８】
また本発明の他の目的は、視聴が制限された番組の録画に関連して、特定のユーザ以外のユーザにはその番組の存在を隠し、かつ、その番組の存在を推測させないようにすることである。
【課題を解決するための手段】
【０００９】
本発明によるデータ処理装置は、番組の映像情報、および、前記番組の案内のために利用されるガイド情報であって規格で定められた視聴制限情報とは異なるガイド情報を含む信号を受信する受信部と、予め定められた視聴制限のためのパターンが前記ガイド情報に含まれているか否かを判定する判定部と、判定結果に基づいて前記番組に対する視聴を制限するか否かを決定し、前記番組と視聴制限の有無とを関連付けた管理情報を生成する管理情報生成部と、前記管理情報に基づいて、前記番組に関する情報の出力を制御する出力制御部とを備えている。
【００１０】
前記管理情報生成部は、前記番組に対する視聴を制限すると決定するときにおいて、前記視聴制限の強さに関する複数のレベルのうちのひとつを決定してもよい。
【００１１】
前記番組の映像情報および前記管理情報を記録媒体に記録する記録部をさらに備えていてもよい。
【００１２】
前記管理情報において前記番組に対する視聴が制限されていないとき、前記出力制御部は前記番組に関する情報を出力してもよい。
【００１３】
前記管理情報において前記番組に対する視聴が制限されているとき、前記出力制御部は前記番組に関する情報の出力を禁止してもよい。
【００１４】
前記ガイド情報は、前記番組のタイトルを示すタイトル情報を含み、前記判定部は、前記パターンが前記ガイド情報内のタイトル情報に含まれているか否かを判定してもよい。
【００１５】
前記データ処理装置は、ユーザの操作に基づいて視聴制限を解除するための制限解除信号を出力する操作部をさらに備えていてもよい。このとき前記出力制御部は、前記制限解除信号を受信すると、前記出力の禁止を解除してもよい。
【００１６】
前記データ処理装置は、前記記録媒体に記録可能な残り容量値を管理する管理部であって、前記記録媒体の全体の容量値および前記全体の容量値よりも小さい規定の容量値を保持する管理部と、ユーザの操作に基づいて前記残量を問い合わせるための問い合わせ信号を出力する操作部とをさらに備えていてもよい。このとき前記管理部は、前記問い合わせ信号を受信すると、前記視聴が制限されていない番組の記録容量の総計値を前記規定の容量値から減算して、前記残り容量値として出力してもよい。
【００１７】
前記操作部はさらに、ユーザの操作に基づいて視聴制限を解除するための制限解除信号を出力し、前記管理部は、前記制限解除信号を受信すると、前記記録媒体に記録されたすべての番組の記録容量の総計値を前記全体の容量値から減算して、前記残り容量値として出力してもよい。
【００１８】
前記管理情報において前記番組に対する視聴が制限されているときに、前記映像情報を暗号化して出力する暗号処理部をさらに備えていてもよい。
【００１９】
前記暗号処理部は、前記外部機器を認証する認証部と、暗号鍵に基づいて前記映像情報を暗号化する暗号化部と、認証された前記外部機器に対して、暗号化された前記映像情報および前記暗号鍵を伝送するインターフェース部とを備えていてもよい。
【００２０】
前記受信部は、デジタル放送波およびアナログ放送波の少なくとも一方を受信して復調し、前記信号を取得してもよい。
【００２１】
前記出力制御部は、前記視聴制限の有無に応じて前記番組に関する情報の表示の態様を変化させてもよい。
【００２２】
本発明による視聴制限に関する出力制御方法は、第１番組の映像情報を含む信号を受信するステップと、前記信号に、規格で定められた前記第１番組の視聴制限情報が含まれているか否かを判定するステップと、第２番組の映像情報、および、前記第２番組の案内のために利用されるガイド情報であって前記規格で定められた視聴制限情報とは異なるガイド情報を含む信号を受信するステップと、予め定められた視聴制限のためのパターンが前記ガイド情報に含まれているか否かを判定するステップと、前記視聴制限情報に関する判定結果および前記パターンに関する判定結果に基づいて、前記第１番組および前記第２番組に関する情報の出力を制御するステップとを包含する。
【発明の効果】
【００２３】
本発明によれば、番組の案内のために利用されるガイド情報内に、予め定められた視聴制限のためのパターンが含まれているかが判定され、その結果に基づいて視聴を制限するか否かが決定される。ガイド情報は、規格で定められた視聴制限情報とは異なる情報であるため、従来の視聴制限情報のみで視聴制限を制御する方法と比較すると、放送局が視聴制限情報を付加しなかった番組に対しても視聴制限を設定できる。
【００２４】
さらに本発明によれば、番組の管理情報として、規格で定められた視聴制限情報の存在を示す管理情報、または、視聴制限を示す管理情報が生成される。よって管理情報に基づけば、規格上の視聴制限情報によって視聴制限がかけられている番組の記述と、ガイド情報に基づいて視聴制限がかけられている番組の記述とを識別可能に表示できる。なお、視聴制限がかけられていない番組の記述もさらに識別可能に表示できるので、より一覧性の高い表示が可能である。
【発明を実施するための最良の形態】
【００２５】
以下、添付の図面を参照しながら、本発明によるデータ処理装置の実施形態を説明する。
【００２６】
（実施形態１）
本発明によるデータ処理装置の第１の実施形態は、放送された番組を受信し、録画し、再生するレコーダである。以下では、まず図１を参照しながらレコーダの主要な構成および動作の概要を説明する。その後、図２以降の各図を参照しながら、より具体的なレコーダの構成を説明する。
【００２７】
図１は、本実施形態によるレコーダ１００の機能ブロックの構成を示す。レコーダ１００は、記録装置１１０と、チューナ１２０と、管理情報生成部１３０と、操作パネル１４０と、ビデオチップ１５０とを備えている。このレコーダ１００は、大きく分けて番組の受信機能、記録機能および再生機能を有している。以下では、各機能を説明しながらその機能に必要な各構成要素を説明する。なお、ユーザは操作パネル１４０を用いてレコーダ１００を操作し、実行すべき機能を選択および指示する。
【００２８】
まず番組の受信機能を説明する。チューナ１２０は、受信部１２１と選局部１２２とパターン判定部１２３とを含む。受信部１２１は放送波を受信し、選局部１２２は操作パネル１４０から入力された選局指示に基づいて選局し、番組の映像情報および音声情報を出力する。
【００２９】
パターン判定部１２３は、番組の案内のために利用されるガイド情報の中に視聴制限を設定すべき所定のパターンが含まれているか否かを判定し、その結果を出力する。このガイド情報は、視聴制限情報と異なる情報であり、たとえば番組タイトルが該当する。放送業者によっては、放送に上述の視聴制限情報の規格を適用せず、番組名に「Ｒ−１５指定」などの文字パターンを付加するものが存在する。そこで、ガイド情報にそのようなパターンが含まれているか否かを判定して、その結果を出力する。
【００３０】
なお、チューナ１２０は規格に定められた視聴制限情報を出力する機能を備えていてもよい。この視聴制限情報は、受信した放送に当初から含まれている情報である。
【００３１】
次に、管理情報生成部１３０を説明する。管理情報生成部１３０の実体は、たとえばコンピュータプログラムを実行するレコーダ１００のＣＰＵである。そのコンピュータプログラムに基づく情報処理によって、管理情報生成部１３０はその機能を実現する。具体的には、管理情報生成部１３０は、パターン判定部１２３の判定結果に基づいて、その番組に対する視聴を制限するか否かを決定し、その番組と視聴制限の有無とを関連付けた管理情報１１０ｂを生成し出力する。仮に番組名に「Ｒ−１５指定」が含まれているという判定結果を受け取ったとする。すると管理情報生成部１３０は、現在受信中の番組に対する視聴を制限するための管理情報１１０ｂを生成する。図１には、後述の記録装置１１０に管理情報１１０ｂが格納されている。なお管理情報生成部１３０が規格に定められた視聴制限情報を受け取ったときには、その視聴制限情報にさらに基づいて管理情報を生成することができる。
【００３２】
次に記録機能を説明する。記録装置１１０は、チューナ１２０によって選局された番組の映像情報および音声情報を受け取り、番組データ１１０ａとして記録媒体に記録する。さらに記録装置１１０は、管理情報生成部１３０によって生成された管理情報１１０ｂを記録媒体に記録する。管理情報１１０ｂは、たとえば番組タイトルｂ１、視聴を制限するか否かを示す情報ｂ２を含んでいる。この情報ｂ２は、視聴を制限するか否かの２値のみならず、視聴を制限するときにはそのレベル、たとえば１５歳未満は視聴不適切である「Ｒ−１５」や、未成年には不適切である「Ｒ」を含んでいてもよい。
【００３３】
記録媒体は、たとえばハードディスク、磁気テープなどの磁気記録媒体、ＤＶＤ、ブルーレイディスクなどの光学式記録媒体、ＥＥＰＲＯＭなどの半導体記録媒体、光磁気ディスクである。
【００３４】
次に再生機能を説明する。本明細書において「再生」とは、記録装置１１０内の番組の映像情報および音声情報を出力することをいう。さらに「再生」とは、受信された番組の映像情報および音声情報をそのまま出力装置（たとえばＴＶ）に出力することも含むとする。後者の再生処理においても管理情報生成部１３０を経由して管理情報が生成される。
【００３５】
ビデオチップ１５０は、ＧＵＩ生成部１５１と出力処理部１５２とを含む。ＧＵＩ生成部１５１は管理情報を受け取り、管理情報に基づいて番組の視聴制限の状態を表示するためのＧＵＩ信号を生成する。たとえば情報ｂ２が視聴を制限することを示しているときは、録画済みの番組の一覧表にはその番組の情報を含まないＧＵＩ映像信号を出力する。
【００３６】
出力処理部１５２は、デジタルフォーマットの映像信号や音声信号を、外部に出力可能な信号に変換する。また、出力処理部１５２は、映像信号とＧＵＩ生成部１５１からのＧＵＩ映像信号とを重ねて（オーバーレイして）出力できる。これにより、ユーザは記録装置１１０内に保存されている番組の一覧表を見ることができる。また、番組のリアルタイムでの再生中や、記録装置１１０からの再生中であっても、たとえば番組タイトルなどの属性情報を確認できる。
【００３７】
上述のように、ビデオチップ１５０は各番組に関する情報の出力を制御するため、出力制御部としての機能を有する。具体的には、ビデオチップ１５０は、管理情報に規定された視聴制限の有無に応じて番組に関する情報の出力を禁止し、許可し、または禁止を解除する。これにより、番組に関する情報の非表示または表示が切り替えられる。さらに図７および図８に示すように、表示するときにおいてもその態様を種々に変化させることができる。
【００３８】
次に、図２を参照しながら、本実施形態によるレコーダのより具体的な構成を説明する。なお、以下の本明細書の説明においては、説明を簡潔にするために番組の映像情報の処理のみに言及し、原則として音声情報の処理は省略する。
【００３９】
図２は、レコーダ２１０の詳細な機能ブロックの構成を示す。レコーダ２１０は、図１に示すレコーダ１００のチューナ１２０を拡張して構成されており、デジタル放送およびアナログ放送の受信、録画および再生に対応している。デジタル放送は、たとえばＢＳ・ＣＳデジタル放送、地上波デジタル放送、デジタル方式のＣＡＴＶ放送である。アナログ放送は、たとえば地上アナログ放送、アナログ方式のＣＡＴＶ放送である。
【００４０】
具体的には、レコーダ２１０のデジタル放送受信部１およびアナログ放送受信部２は、レコーダ１００の受信部１２１に対応する。レコーダ２１０のパターン判定／抽出部５および６は、レコーダ１００のパターン判定部１２３に対応する。レコーダ２１０のＨＤＤ１０は、レコーダ１００の記録装置１１０に対応する。レコーダ２１０の操作部１３は、レコーダ１００の操作パネル１４０に対応する。レコーダ２１０のデジタル属性情報抽出部３、アナログ属性情報抽出部４およびエンコーダ７は、レコーダ１００の構成に対して新たに付加されている。これらの説明は後述する。一方、レコーダ２１０およびレコーダ１００の間で名称が共通する構成要素は対応関係にあり、その機能および構成は同じである。
【００４１】
レコーダ２１０の各構成要素を詳細に説明する。まずデジタル放送に関する構成要素を説明し、その後アナログ放送に関する構成要素を説明する。
【００４２】
デジタル放送受信部１は、外部アンテナから供給されるデジタル放送波を受信して復調し、デジタル映像信号を出力する。デジタル映像信号は伝送に適したフォーマット、たとえば一般的にはＭＰＥＧトランスポートストリーム（以下「ＴＳ」と記述する）で出力される。
【００４３】
図３（ａ）は、ＴＳのパケット配列の例を示す。ＰＡＴ、Ｖ１等が記述された各ボックスが１つのＴＳパケットに対応する。Ｖｎ、Ａｎ（ｎ：１〜４）は、それぞれ、番組ｎの映像および音声のデータを含むことを表している。
【００４４】
ＴＳには番組に関する属性情報が多重化されており、これにより豊富なサービスが実現される。属性情報には、ガイド情報、視聴制限情報、コピー制御情報が含まれている。
【００４５】
ＢＳデジタル放送においては、ガイド情報はＥＩＴパケット内のＥＩＴテーブルにおいて、短形式イベント記述子や拡張形式イベント記述子として規定されている。また視聴制限情報もＥＩＴテーブル中のパレンタルレート記述子として規定されている。なお、コピー制御情報はＰＭＴパケット内のＰＭＴテーブル中のデジタルコピー制御記述子として規定される。
【００４６】
図４（ａ）は、ＥＩＴテーブルのデータ構造を示す。ＥＩＴテーブルはガイド情報９１および視聴制限情報９２を含んでいる。
【００４７】
ガイド情報９１は、たとえば番組タイトル、出演者、あらすじ、放送チャンネル、番組の放送日時、番組の出演者、製作者を特定する情報を含む。また視聴制限情報９２は、放送国コードや、その番組の視聴が制限される年齢の最大値を含んでいる。ガイド情報９１および視聴制限情報９２は属性情報９０を構成する。
【００４８】
図４（ｂ）および図４（ｃ）は、１５歳以下の者の視聴が制限される番組のＥＩＴテーブルの具体例を示す。図４（ｂ）は視聴制限情報９２が記述されているＥＩＴテーブルを示す。図４（ｃ）は視聴制限情報９２が記述されていないＥＩＴテーブルを示す。図４（ｃ）に示す例では、ガイド情報９１中の番組タイトル「ＸＸ殺人事件［Ｒ−１５］」中に、視聴制限の存在を示す文字列［Ｒ−１５］が含まれている。これは、放送事業者が規格上の視聴制限情報によらずに視聴制限の存在を表示するときの例である。
【００４９】
一方、図４（ｄ）は視聴制限情報が存在しない番組のＥＩＴテーブルを示す。ガイド情報９１中の番組タイトル、視聴制限情報９２のいずれにも、視聴制限の存在を示す情報は含まれていない。
【００５０】
再び図２を参照する。デジタル属性情報抽出部３は、ＥＩＴ、ＰＭＴ、ＳＩＴの各テーブルを検索して、デジタル映像信号中に多重化されている属性情報９０を抽出する。そして、属性情報９０の中からガイド情報９１を抽出してパターン判定／抽出部５に出力する。視聴制限情報９２が存在するときにはその情報を抽出して後述する管理情報生成部９に出力する。
【００５１】
パターン判定／抽出部５は、抽出されたガイド情報９１に特定のパターンが含まれているか否かを判定する。含まれているときにはそのパターンを抽出して判定結果として出力する。たとえば、パターン判定／抽出部５は、番組タイトルの末尾に“［Ｒ−１５］”や“［ＰＧ−１２］”等の視聴制限を示す文字列が含まれているか否かを判定する。または、番組タイトル先頭に成人向けであることを示す特定のパターン（たとえば“★”等の特定の記号）がついているか否かを判定する。または、ガイド情報９１内の製作者の情報に予め指定された監督名（たとえば成人向け映画を多く作成している監督名）が含まれているか否かを判定する。判定結果は、判定情報として管理情報生成部９に出力される。なお、パターン判定／抽出部５は、判定情報とは別にガイド情報の全部または一部を出力することもできる。
【００５２】
次に、アナログ放送に関する構成要素を説明する。
【００５３】
アナログ放送受信部２は、外部アンテナから供給される各種のアナログ放送波を受信して復調し、アナログ映像信号を出力する。
【００５４】
アナログ放送においても、ガイド情報、視聴制限情報、コピー制御情報を多重化して送出する規格が策定されている。具体的には、第２１番目の走査線（ライン２１）に属性情報を挿入するＥＩＡ−６０８規格である。アナログ映像信号にはガイド情報、視聴制限情報等の属性情報が多重化されている。また、アナログ放送においては、特定のキー局の放送波を利用して番組表情報が配信されている。番組表情報は、番組タイトル、放送チャンネル、番組の放送日時、番組の出演者、製作者を特定する情報を含んでおり、上述のガイド情報ということができる。なお番組表情報はインターネット等の通信ネットワークを介して取得することも可能である。
【００５５】
アナログ属性情報抽出部４は、アナログ映像信号１０２に多重化されている属性情報を抽出する。たとえばＥＩＡ−６０８規格に従ってライン２１に挿入されているガイド情報、視聴制限情報等を抽出する。アナログ属性情報抽出部４は、属性情報の中からガイド情報を抽出してパターン判定／抽出部６に出力する。視聴制限情報が存在するときにはその情報を抽出して後述する管理情報生成部９に出力する。
【００５６】
パターン判定／抽出部６は、パターン判定／抽出部５と実質的には同じ処理を行う。処理はデジタル放送およびアナログ放送で異なることはないので、パターン判定／抽出部５の説明を援用し、パターン判定／抽出部６の説明は省略する。
【００５７】
エンコーダ７はアナログ映像信号１０２を符号化してＴＳを生成する。ＴＳを生成することにより、以降の映像信号の処理経路をデジタル放送の処理経路と共通化し構造を簡潔にする。
【００５８】
次に、選局部８を説明する。選局部８はデジタル放送受信時においてもアナログ放送受信時においても機能する。選局部８は、操作部１３からの選局指示信号に基づいて、デジタル放送受信部１および／またはアナログ放送受信部２に選局信号を出力して、各受信部１および２を制御する。この結果、各受信部１および２においては所定のチャンネルの信号のみが受信される。
【００５９】
選局部８は、選局指示信号に従ってデジタル放送のＴＳまたはアナログ放送から生成されたＴＳを受け取る。デジタル放送のＴＳが１チャンネルに複数の番組のデータを含む場合には、選局部８は操作部１３からの選局指示信号に基づいて１つの番組に関するデータを取り出す。
【００６０】
たとえば選局指示信号によって番組１の選局が指示されると、選局部８は、図３（ａ）に示すＴＳから図３（ｂ）に示す番組１に関するパーシャルＴＳを生成する。その処理は以下のとおりである。まず選局部８は、番組１に対応する映像および音声パケットＶ１、Ａ１を抽出するとともに、番組関連情報のテーブルＰＡＴおよびＰＭＴ１を抽出し、その内容を選択された番組に対応するように書き換えて、「ＰＡＴ’」「ＰＭＴ１’」を生成する。また、ＴＳに含まれていた番組配列情報（ＳＩ）、番組特定情報（ＰＳＩ）を編集して、選択された番組に関わる情報だけを集めたＳＩＴテーブルを生成する。これらを配置してパーシャルＴＳを生成する。
【００６１】
選局部８はまた、デジタル属性情報抽出部３、アナログ属性情報抽出部４、パターン判定／抽出部５ならびにパターン判定／抽出部６をそれぞれ制御し、管理情報生成部９に対して視聴制限情報および判定情報を送るように指示する。
【００６２】
たとえば、デジタル放送に関して、視聴制限情報を多重化しないことが予め判明している放送局が選局されているときには、選局部８は、デジタル属性情報抽出部３に対し視聴制限情報の抽出処理をスキップさせ、ガイド情報の出力を優先して行わせる。
【００６３】
またその放送局が特定の記号、たとえば “★”を用いて番組タイトルにおいて成人向け番組であることを表示しているときには、その記号でのパターン判定を優先させるようにパターン判定／抽出部５に指示する。
【００６４】
抽出する情報に優先順位を持たせる理由は以下のとおりである。すなわち、ＭＰＥＧ−ＴＳ信号中に含まれる属性情報はＥＩＴテーブルやＰＭＴテーブルに書き込まれており、特定のパターンを抽出することで情報を抜き出すことが可能となる。このとき抽出する情報に優先順位があればデジタル属性情報抽出部３はパターン検索の手段を１つ備えればよい。あるいは同じ優先順位の情報がＮ個あれば、Ｎ個のパターン検索手段を備えればよい。
【００６５】
しかし抽出する情報に優先順位が無ければ、他のブロックが使用すると想定される全ての情報個数（ここではＭ個とする。この場合Ｍ＞Ｎとなる）分のパターン検索手段をもたせなければ効率よく動作を実現することができなくなる。そこで本実施形態においては選局部８が必要な情報の優先順位を決定することにより、デジタル属性情報抽出部３を実現するための構成を簡素化してコストを抑えている。
【００６６】
同様にアナログ放送に関しても、選局されたチャンネルがＥＩＡ−６０８に準拠した信号を得られる放送種別（あるいは放送チャンネル）であるならば、ライン２１から属性情報を抽出する処理を優先させる。逆にライン２１から情報を得られないことが分かっている放送種別（あるいは放送チャンネル）ならば放送波で配信される属性情報の検出を優先させる。
【００６７】
このように選局部８のみが知りうる放送種別あるいは放送局に準じた情報抽出優先順位の制御を行うことにより、効率よく番組に関する情報を抽出することができる。
【００６８】
次に管理情報生成部９を説明する。管理情報生成部９は、視聴制限情報および判定情報に基づいて、録画される番組または再生される番組の視聴制限レベルを決定し、視聴制限に関する管理情報を生成する。この処理はデジタル放送番組およびアナログ放送番組のいずれにも適用される。
【００６９】
たとえば、番組タイトルに“ＰＧ”という文字列のみが含まれており、その後に数字が伴っていない判定情報を想定する。管理情報生成部９は、視聴の可否の判断を保護者の指導に委ねるために視聴制限はしない。
【００７０】
一方、ＰＧの後ろに“−１３”のように二桁の数字が含まれている判定情報を受け取ったときは、数字が表す年齢制限があると判断する。ＰＧだけの表示より制限が強いのが一般的だからである。また、“Ｒ指定”という文字列が含まれている場合には、成人指定と判断して１９歳以下の者による視聴を制限すると判断する。
【００７１】
視聴制限のレベルを制限するかしないかの２通りに固定してもよい。たとえば番組タイトルに“Ｒ指定”または“Ｒ−○○指定”（○○は年齢を表す数字）と記述されている番組は全て視聴を制限すると判断してもよい。さらには、番組タイトルに“ＰＧ”、“ＰＧ−○○”、“Ｒ指定”または“Ｒ−○○指定”（○○は年齢を表す数字）と記述された番組は全て視聴を制限してもよい。
【００７２】
さらに、ガイド情報中の出演者名に成人向け映画に多く出演している役者の名前が含まれる番組の視聴を制限すると判断するルールを追加してもよい。さらには、特定の放送チャンネル（例えば有料チャンネル）で放送された番組は全て制限すると判定してもよい。
【００７３】
図５（ａ）は、管理情報１１０ｂのデータ構造を示す。管理情報１１０ｂには、管理対象番組を特定する情報、番組タイトル等のガイド情報、視聴制限に関する情報および視聴制限情報の有無を示すフラグが含まれる。視聴制限に関する情報は、視聴制限の有無のみが記述されてもよいし、および／または視聴制限のレベルのみが記述されていてもよい。なお、視聴制限情報の有無を示すフラグは、当初の放送番組中に視聴制限情報が含まれていたか否かを示す。このフラグは、視聴制限情報が当初から放送に含まれていたか、ガイド情報に基づいて視聴制限が設定されたかを示す。
【００７４】
図５（ｂ）〜（ｄ）は、それぞれ図４（ｂ）〜（ｄ）に示すＥＩＴテーブルから生成された管理情報を示す。図５（ｃ）によれば、視聴制限情報が含まれていなかった図４（ｃ）のＥＩＴテーブルから、視聴制限のレベルが設定された管理情報が設定されていることが理解される。
【００７５】
番組の録画時には、管理情報生成部９は記録対象の番組に対応する管理情報を生成し出力する。このときの管理情報は、さらに対応する番組のＴＳファイル名、ＨＤＤ１０上のアドレスなどを含む。また、現在再生中または録画中の番組に関する情報や、今後放送予定の番組に関する情報を含んでもよい。この管理情報はユーザーが今後の放送予定を確認する際に利用され、その内容は画面上に表示される。
【００７６】
ＨＤＤ１０は、ハードディスクを記録媒体とする記録装置である。ＨＤＤ１０はレコーダ２１０に内蔵されているとする。
【００７７】
ＧＵＩ生成部１１は、制限解除信号の入力の有無および管理情報に基づいて、表示すべき画面（ＧＵＩ）の信号を生成する。より具体的には、ＧＵＩ生成部１１は、ＨＤＤ１０から記録済み番組の管理情報を受け取り、ＨＤＤ１０に記録されている番組の一覧を表示するためのデータを作成してＧＵＩ映像信号として出力する。またＧＵＩ生成部１１は、視聴中（あるいは録画中）の番組に関する管理情報に基づいて番組情報を表示するための表示データを生成し、そのＧＵＩ映像信号を出力する。
【００７８】
ＧＵＩ生成部１１は、記録済みの番組、視聴中の番組および／または放送予定の番組に対して、管理情報で規定されている視聴制限レベルに従って、視聴が制限された番組の情報（たとえばタイトル、放送日時、チャンネル）を一覧表や番組表から除外してその番組の存在を示さないＧＵＩ映像信号を作成する。視聴中の番組および／または放送予定の番組に関する番組表の構築に際しては、ＧＵＩ生成部１１は、視聴が制限される番組の情報が本来表示される部分（表示枠）を空白にし、または一定の記号を配置すればよい。一方、ＧＵＩ生成部１１は、制限解除信号を受け取ったときには、すべての番組が表示された一覧表、番組表を構築し、そのＧＵＩ映像信号を出力する。
【００７９】
出力処理部１２は、デジタルフォーマットの番組の映像信号およびＧＵＩ映像信号を、外部の表示デバイスに適合する信号、たとえばアナログ映像信号に変換する。たとえば出力処理部１２はＭＰＥＧデコーダを有しており、ＭＰＥＧデコーダにおいてＭＰＥＧ映像／音声ストリームをアナログ映像信号に変換する。または、出力処理部１２は、ＭＰＥＧ信号をデジタルＩ／Ｆ規格、たとえばＨＤＭＩ規格に準拠したフォーマットの信号に変換する。
【００８０】
なお、出力処理部１２は、映像信号とＧＵＩ映像信号とを重ねて出力する機能を有しているが、この機能については図１の出力処理部１５２に関連して説明したとおりであるので、その説明は省略する。
【００８１】
操作部１３は、ユーザの操作に基づいて種々の信号を出力する。ユーザの操作は、レコーダ２１０の筐体に設けられたボタンやリモコン（図示せず）を介して行われる。たとえば操作部１３は、選局に関する選局指示信号や、視聴制限を解除するための制限解除信号を生成し、出力する。
【００８２】
次に、図６を参照しながらレコーダ２１０において行われる処理を説明する。なお、以下の説明ではデジタル放送番組を録画するとして説明するが、アナログ放送番組の録画処理であってもその内容は同等である。
【００８３】
図６は、レコーダ２１０の録画処理の手順を示す。ステップＳ５１において、デジタル放送受信部１は録画対象のデジタル放送番組の放送波を受信する。受信する放送波は、選局部８からの選局信号に基づいて決定される。そしてステップＳ５２において、デジタル放送受信部１は放送波を復調することにより、選局された番組の映像情報／音声情報、属性情報を取得し出力する。
【００８４】
ステップＳ５３において、デジタル属性情報抽出部３は、属性情報に視聴制限情報が含まれているか否かを判定する。含まれているときには処理はステップＳ５６に進み、含まれていないときには処理はステップＳ５４に進む。このときデジタル属性情報抽出部３はガイド情報をパターン判定／抽出部５に出力する。
【００８５】
なおステップＳ５３の分岐処理は、視聴制限情報が含まれている場合にはその情報を優先して採用するとして設けられており、そのためにステップＳ５４およびＳ５５が省略されている。しかし、視聴制限情報が含まれている場合であっても、さらにステップＳ５４以降の処理を行ってガイド情報に基づいて適切な視聴制限レベルを割り当ててもよい。
【００８６】
ステップＳ５４において、パターン判定／抽出部５は、ガイド情報に特定のパターン（文字列、記号）が含まれているか否かを判定する。含まれているときには処理はステップＳ５５に進み、含まれていないときには処理はステップＳ５６に進む。パターン判定／抽出部５は、判定結果を判定情報として管理情報生成部９に送る。判定情報には特定されたパターンの情報が含まれている。
【００８７】
ステップＳ５５において、管理情報生成部９は、判定情報に基づいて、特定されたパターンの内容に応じてその番組に関する視聴を制限するレベルを決定する。たとえば番組タイトルに文字列「Ｒ−１５」が含まれているときには、１５歳未満は視聴不適切であるとして、視聴を制限するレベル（年齢）を１５歳未満であると決定する。
【００８８】
続いてステップＳ５６において、管理情報生成部９は、番組に対応する管理情報を生成して視聴制限の有無を記述する。このとき視聴制限レベルが取得できれば併せて記述すればよい。なお、視聴制限レベルのみを記述することによって視聴制限が存在するとして取り扱ってもよい。なお視聴制限がないときには特に何も記述する必要はないが、視聴制限がないことを明示的に示す情報を記述してもよい。
【００８９】
ステップＳ５７において、ＨＤＤ１０は、映像情報／音声情報、管理情報を記録媒体に記録する。
【００９０】
そしてステップＳ５８において、管理情報の視聴制限レベルに基づいてその番組の視聴制限に関するＧＵＩ映像を生成する。この結果、録画中の番組の視聴制限に関する情報を表示デバイスにおいて確認できる。ステップＳ５８の処理を行って生成されたＧＵＩ映像情報を内部メモリ（図示せず）やＨＤＤ１０に記録しておくことにより、後にＧＵＩ映像を生成する必要がなくなる。よってＧＵＩ映像が表示されるまでの時間を短縮できる。ただし、ステップＳ５８の処理は記録処理において必須ではなく、録画後に必要に応じてＧＵＩ映像を生成してもよい。
【００９１】
上述の処理によれば、受信された番組のストリームに視聴制限情報が含まれないときでも、その番組に対して視聴制限の要否のみならず、視聴制限のレベルをも適切に設定できる。
【００９２】
ここで図７（ａ）〜（ｃ）および図８（ａ）〜（ｄ）を参照しながら、ＨＤＤ１０に録画された番組一覧の表示例を説明する。以下では、レコーダ２１０は、電源投入直後は視聴が制限された番組を番組一覧には表示しないと設定されているとする。記録済み番組の一覧をレコーダ２１０に表示させるときにおいて、ＧＵＩ生成部１１は以下のように動作する。
【００９３】
すなわち、ＧＵＩ生成部１１は、ＨＤＤ１０に記録された管理情報１１０ｂの「視聴制限」の規定内容に基づいて、視聴が制限されていない番組のみに関する一覧表を構築し、そのＧＵＩ映像信号を出力する。視聴が制限されている番組の情報は一覧表には含まない。図７（ａ）は、視聴が制限されていない番組のみに関する番組表の表示画面例を示す。
【００９４】
その後、ユーザが視聴制限を解除する操作を行い、操作部１３がその操作を検出すると視聴制限解除信号を出力する。ＧＵＩ生成部１１はその視聴制限解除信号を受け取り、視聴が制限される番組に関する情報をさらに含む番組表を再構築し、そのＧＵＩ映像信号を出力する。図７（ｂ）は、録画済の全番組に関する番組表の表示画面例を示す。図７（ａ）に示す表示画面と比較すると、図７（ｂ）の表示画面には、視聴が制限されていた「番組００３［Ｒ−１５指定］」および「番組００６［Ｒ指定］」が追加されていることが理解される。これによりユーザは視聴が制限される番組を含む番組表を見ることができる。
【００９５】
なお、ＧＵＩ生成部１１は、視聴が制限されている番組のみの一覧を構築することもできる。図７（ｃ）は、視聴が制限されている番組のみの一覧が表示された画面例を示す。ＧＵＩ生成部１１は、管理情報中に視聴を制限することを示す情報が記述されているか否かを検索して、その情報が記述されている管理情報に対応する番組の一覧を生成すればよい。なお、図７（ｃ）の画面例には図７（ｂ）には表示されていなかった番組の記述（番組００９［ＰＧ−１２指定］）が現れている。この番組の記述は、視聴が制限されていない番組が番組一覧から除外されたことによって、当初表示されていたページ、すなわち図７（ｂ）の表示ページ（１／３ページ）の次ページ（２／３ページ）から繰り上げて表示されている。
【００９６】
番組一覧上では、視聴が制限されている番組を種々の方法によって明示できる。以下では、番組一覧上における、視聴が制限されている番組に関する記述を単に「制限番組」と記し、視聴が制限されていない番組に関する記述を単に「非制限番組」と記す。
【００９７】
たとえば図８（ａ）は、制限番組を枠で囲った画面例を示す。枠に代えて制限番組の背景色を、非制限番組の背景色に対して変化させて表示してもよい。図８（ｂ）は、制限番組の表示位置を非制限番組の表示位置よりもずらして配置した画面例を示す。図８（ｃ）は、制限番組に対して特定のマークを付した画面例を示す。図８（ｄ）は、カーソルが制限番組を指すときにカーソルの色を変更した画面例を示す。
【００９８】
図示された各画面例のみならず、たとえば制限番組と非制限番組との間で異なる大きさの文字を用いてもよいし、異なるフォントを用いてもよい。また、制限番組と非制限番組とを分離して表示してもよい。
【００９９】
さらに、制限番組のみについて表示方法をさらに細かく変化させることもできる。たとえば、放送時に取得された属性情報中の視聴制限情報に基づいて視聴が制限された番組と、本実施形態によるパターン判定／抽出部および管理情報生成部の動作に基づいて視聴が制限された番組とを識別して表示することもできる。ＧＵＩ生成部１１は、管理情報１１０ｂ（図５（ａ））を参照して、視聴が制限されている番組のうち、視聴制限情報の有無を示すフラグが「有」か「無」かによって、番組を記述する色、位置、番組の記述に付すマーク等の表示を変化させればよい。非制限番組も併せて識別して表示することによって一覧性がより高くなり、ユーザは各番組の特徴を容易に把握できる。
【０１００】
電源投入直後のレコーダ２１０の設定として、すべての番組を番組一覧に表示してもよい。そしてユーザが制限番組を表示しないことを指示したときに、非制限番組のみを表示してもよい。
【０１０１】
さらには、視聴制限を複数の異なるレベルに分類して管理し、特定のレベルの視聴だけを解除する方法や、特定のレベル以下（あるいは以上）の全てのレベルを同時に解除するような方法を採用しても良い。その場合、後からユーザーがレベルの変更を行うことにより制限解除される内容の優先順位付けを可能にすることができる。
【０１０２】
また、視聴制限を解除するためのユーザの操作に関連して、以下の変形例を採用することもできる。すなわち、解除権能を有するユーザであることをレコーダ２１０が認証した後で、操作部１３が制限解除信号を出力してもよい。認証の方法は、たとえばパスワード入力による認証、ユーザの生体情報を利用した認証、または外部接続された不揮発性記録媒体に格納されている情報、署名あるいは公開鍵の情報による認証が挙げられる。さらには、制限を解除する際に視聴される番組に対する対価を支払うようにしてもよい。
【０１０３】
また、管理情報によって、ＨＤＤ１０に録画中の番組が視聴制限の対象であることが示されているときには、出力処理部１２は映像信号の出力をミュートしてもよい。これにより、録画中の番組が第三者によって視聴されることを防ぐことができる。
【０１０４】
本実施形態においては、デジタル放送受信部１はＢＳ・ＣＳ放送および地上波デジタル放送を受信するとして説明した。しかし、属性情報を映像・音声信号に多重化して送出されるデジタル放送であればその種類は問わない。
【０１０５】
また、パターン判定／抽出部５および６におけるパターンの判定処理や判定に必要なパラメータを不揮発性メモリやＨＤＤ１０に保存し、パターン判定／抽出部５および６が必要に応じて参照してもよい。そのような処理やパラメータをレコーダ２１０の外部から更新することにより、放送局の運用方針の変更や放送規格の変更に対応できるように構成してもよい。なお、外部からの更新は、リムーバブルメディア、たとえば不揮発性記録媒体や光磁気ディスクから情報を読み込んで行ってもよいし、放送波に挿入された情報を放送波から取得して行ってもよいし、または、インターネット等の各種通信手段を介してダウンロードして行ってもよい。
【０１０６】
また、デジタル映像信号はネットワーク経由でレコーダ２１０に入力されてもよい。例えばＤＬＮＡ規格に準拠したネットワーク接続インターフェースを設けることにより、著作権保護された番組をネットワーク回線経由で視聴・録画・移動させてもよい。また、ネットワークを利用したビデオオンデマンド（ＶＯＤ）サービスによって提供されるデジタル映像信号がレコーダ２１０に入力されてもよい。いずれの場合も属性情報は多重化されて伝送されるため、本実施形態によるレコーダ２１０の処理が適用可能である。
【０１０７】
また、図２ではデジタル放送波とアナログ放送波が別々に外部から供給されて、それぞれデジタル放送受信部１とアナログ放送受信部２とに入力されている。しかし、両放送波が混在した状態で外部から供給されてもよい。ただし、このときはレコーダ２１０が内部に分波器を備え、その分波器が入力信号を分波したのちにデジタル放送受信部１とアナログ放送受信部２に供給すればよい。
【０１０８】
（実施形態２）
本発明によるデータ処理装置の第２の実施形態は、放送された番組を受信し、録画し、再生するレコーダである。本実施形態によるレコーダは、実施形態１のレコーダに、さらに番組管理部を追加して構成されている。番組管理部は、視聴が制限された番組の存在をユーザ、特に視聴が制限されている低年齢者に推測されないようにＨＤＤ１０の記録領域を管理する機能を有している。
【０１０９】
図９は、本実施形態によるレコーダ２２０の詳細な機能ブロックの構成を示す。レコーダ２２０は、レコーダ２１０に対して番組管理部１５を追加して構成されている。番組管理部１５以外のレコーダ２２０の構成要素の機能および動作は、原則としてレコーダ２２０（図２）と同じである。よって、以下では番組管理部１５の機能および動作と、その動作に関連する他の構成要素の動作を説明する。
【０１１０】
番組管理部１５の実体は、たとえばコンピュータプログラムを実行するレコーダ２２０のＣＰＵである。そのコンピュータプログラムに基づく情報処理によって、番組管理部１５はその機能を実現する。
【０１１１】
まず、番組管理部１５の概略的な機能は以下のとおりである。番組管理部１５は、管理情報に記述された視聴制限の内容によって、録画中の、または録画された番組を１以上のグループに分類する。そしてそのグループ単位でＨＤＤ１０の使用データ量を管理する。さらに録画された番組の連続再生時において、番組管理部１５は、グループ単位で番組の映像情報および管理情報を読み出すよう、ＨＤＤ１０を制御する。
【０１１２】
以下、番組管理部１５の管理機能を詳細に説明し、その後読み出しの制御機能を説明する。以下の説明では、ＨＤＤ１０に複数の番組の映像情報および管理情報が記録されているとする。
【０１１３】
番組管理部１５は、ＨＤＤ１０に記録されている番組および録画中の番組を、管理情報の視聴制限の有無および／または視聴制限のレベルに基づいてグループ分けしている。そして、各グループに対して記録可能な最大容量を設定している。
【０１１４】
たとえば番組管理部１５は、管理情報に視聴制限が規定されている番組グループとされていない番組グループとに分類し、その各々に対して最大容量を設定している。そして番組管理部１５は、各番組グループの合計使用容量とその最大容量とに基づいて、残量を管理する。
【０１１５】
ＨＤＤ１０の全体容量を容量Ａとしたとき、番組管理部１５は、視聴制限されていない番組グループの録画に使用可能な容量を容量Ｂと設定し、視聴制限されている番組の録画に使用可能な容量を容量Ｃと設定する。このとき容量Ａ＝容量Ｂ＋容量Ｃである。
【０１１６】
ユーザが操作部１３を介して記録可能時間（または記録可能容量）の問い合わせを行ったときを考える。操作部１３からの問い合わせ信号を受け取ると、標準的な状態（デフォルト状態）においては、番組管理部１５は、
容量Ｂ−（記録済みの視聴制限されていない番組容量の総計）
を計算してその値を返す。
【０１１７】
一方、ユーザの操作により視聴制限が解除された状態で、操作部１３からの問い合わせ信号を受け取ると、番組管理部１５は、容量Ａ−（全ての番組容量の総計）を返す。
【０１１８】
さらに、番組が徐々に蓄積され、その結果、視聴制限されていない番組グループの使用容量の総計が容量Ｂに達したとき、番組管理部１５は視聴制限されていない番組のうちもっとも古い番組の削除をＨＤＤ１０に指示して録画を継続可能とする。同様に視聴制限されている番組グループの使用容量の総計が容量Ｃに達したとき、番組管理部１５は視聴制限されている番組のうちもっとも古い番組の削除をＨＤＤ１０に指示して録画を継続可能とする。この容量Ｂと容量Ｃは後から変更可能である。削除を指示する順序は、再生順序と異なってもよい。なお、実施形態１のレコーダ２１０において説明したように、レコーダ２２０においても視聴が制限された番組は一覧等において表示されていない。
【０１１９】
この結果、視聴制限された番組の録画を行ったとしても、視聴制限されていない番組の総数は変化することはなく、また空き容量が減っていくこともない。
【０１２０】
上述の処理によれば、視聴制限された番組を録画・消去しても、視聴制限されていない番組グループの記録可能な残り容量への影響はない。よって、視聴制限を解除する権能がないユーザからは、視聴制限されて表示されていない番組の存在を推測することができなくなる。
【０１２１】
次に、番組管理部１５によるＨＤＤ１０の読み出し制御機能を説明する。
【０１２２】
各番組の映像情報および管理情報は、録画された順序と同じ順序でＨＤＤ１０上に物理的に配置されているとは限らない。その理由は、ＨＤＤ１０は離散的に存在する空き領域を見つけて情報を記録するからである。また、録画後にある番組が削除され、または領域の分散をまとめるためのデ・フラグメンテーション処理が実行されると、映像情報および管理情報の物理的な配置が変更され得るためである。
【０１２３】
しかし通常の記録・再生機器において、記録媒体中の記録番組一覧を表示する場合には、録画順やタイトル順などの何かしらの順列に従って表示されることが多い。番組管理部１５は、特定の順列に従って番組内容を表示し、連続して再生させる際の再生順序を管理する。
【０１２４】
たとえばユーザが録画日時順に番組を再生するよう指示すると、番組管理部１５は、視聴が制限されていない番組グループを対象として、各番組の属性情報中の放送日時の情報、または、ＨＤＤ１０のファイルシステムにおいて採用されている記録日時の情報に従って、録画日時順に映像情報をＨＤＤ１０から出力させる。
【０１２５】
ここで、図１０（ａ）〜（ｃ）を参照しながら、具体的に説明する。以下の説明でも、番組管理部１５は、視聴が制限されない番組グループと視聴制限される番組グループに分類して番組を管理しているとする。
【０１２６】
図１０（ａ）は、視聴制限されていない番組１、番組３、番組４と、視聴制限されている番組２とが混在して記録されたＨＤＤ１０を示す。記録日時の順序は古い順から番組１、２、３、４とする。なおこの図では「番組」の記載の下方に視聴制限の有無を併記しているが、これは説明の便宜のためである。視聴制限の有無は、実際には各番組に対応する管理情報に記述されている。
【０１２７】
番組管理部１５は、デフォルト状態において記録済みの番組に関する情報を問い合わせられた場合には、番組１、３、４に関する管理情報の出力をＨＤＤ１０に指示する。また、記録済みの番組を連続再生させる指示を受けた場合にも、番組１、３、４の順で映像情報を出力するようにＨＤＤ１０に指示する。図１０（ｃ）は、デフォルト状態において記録日時に従って再生される番組の順序を示す。
【０１２８】
次に、ユーザの操作により視聴制限が解除された状態で、記録済みの番組に関する情報を問い合わせられた場合には、番組１、２、３、４に関する管理情報を出力する。また、視聴制限が解除された状態で番組を連続再生させる指示を受けた場合にも、番組１、２、３、４の順で映像情報を出力するようにＨＤＤ１０に指示する。図１０（ｂ）は、視聴制限が解除された状態において記録日時に従って再生される番組の順序を示す。
【０１２９】
上述の例では記録された順序で再生する例を説明したが、逆の順序で再生を管理しても良い。また、時間情報による管理だけでなく、番組タイトルの昇順・降順や、記録番組の長さ（録画時間）によって再生を管理してもよい。
【０１３０】
なお、視聴制限の有無のみならず、視聴制限のレベルで番組グループを分類してもよい。そのときは、ユーザは視聴制限のレベルに応じた解除指示をレコーダ２２０に与える。たとえばユーザは、１５歳までの視聴制限を解除する、Ｒ指定の視聴制限のみを解除する、ＰＧ指定の視聴制限のみを解除する、などの解除指示をレコーダ２２０に与える。
【０１３１】
番組管理部１５はその指示を受けてＨＤＤ１０に管理情報の出力または映像情報の出力を指示し、さらにはレベルごとに記録可能な最大容量を設定して容量管理を行う。
【０１３２】
なお、最大容量は、各レベルに分類された番組の総計と比較されるだけであるから、後から各レベルの容量の最大値を変更することは可能である。よって、一般的なＨＤＤのように複数のパーティション（管理領域）を予め設けるよりも、柔軟な容量管理を実現できる。
【０１３３】
（実施形態３）
本実施形態においては、上述の実施形態１および２のいずれのレコーダにも適用可能な暗号処理チップを説明する。本実施形態による暗号処理チップは、レコーダの出力処理部１２から出力されたデジタル映像信号に対して所定の暗号化処理を行う。これにより、その後にデジタル出力されたとしても制限なくデジタル接続された外部機器において視聴や録画ができないようにする。
【０１３４】
以下、図１１を参照しながら、暗号処理チップの構成および処理を説明する。
【０１３５】
図１１は、暗号処理チップ１９０の構成を示す。暗号処理チップ１９０は、暗号化部１７と、鍵管理部１８と、接続対象識別・認証部１９と、デジタルＩ／Ｆ２０とを備えている。暗号処理チップ１９０は、たとえば実施形態１または実施形態２によるレコーダに組み込まれる。
【０１３６】
暗号処理チップ１９０は、記録装置である外部記録機器２１と接続されている。なお外部記録機器２１はさらに、表示装置である外部表示機器２２とも接続されている。暗号処理チップ１９０を組み込んだレコーダ、外部記録機器２１および外部表示機器２２の接続は、デイジーチェーン接続と呼ばれる。
【０１３７】
暗号処理チップ１９０は、出力処理部１２から出力された、録画中または再生中のデジタル映像信号、あるいは、映像信号にＧＵＩ映像信号がオーバーレイされたデジタル映像信号を受け取る。このデジタル映像信号は、たとえばＴＳフォーマットである。さらに暗号処理チップ１９０は、出力処理部１２から出力された、その映像情報に対応する管理情報をも受け取る。
【０１３８】
暗号化部１７は、管理情報において、その映像情報の視聴が制限されているときには暗号鍵を用いてデジタル映像信号を暗号化する。鍵管理部１８は、暗号化部１７および接続対象識別・認証部１９に対して暗号鍵を供給し管理する。鍵管理部１８は、接続されている機器が変更された場合やデジタル映像信号の属性（制限レベル）が変更された場合などに鍵を変更する。
【０１３９】
接続対象識別・認証部１９は、暗号化映像信号を送信する機器の正当性を検証するために設けられている。接続対象識別・認証部１９は、デジタルＩ／Ｆ２０に接続された外部機器２１および２２の固有の識別信号を判定すると共に認証手続きを行う。そして、認証の手続き（プロトコル）に沿って、外部記録機器２１や外部表示機器２２との間で認証信号を授受する。このとき、記録のための認証、表示のための認証と分けることが可能である。これにより、暗号化映像信号を復号に必要となる鍵を渡すべき機器か否かを確認できる。
【０１４０】
デジタルＩ／Ｆ２０は、暗号化映像信号および認証信号を外部機器との通信に適した信号形式に変換する。デジタルＩ／Ｆ２０は外部機器２１との間で４００Ｍｂｐｓ程度の高速な伝送信号を授受する。デジタルＩ／Ｆ２０は、たとえばＩＥＥＥ１３９４規格に準拠した信号の授受を行う。
【０１４１】
以下、暗号処理チップ１９０の処理を説明する。なお、デジタルＩ／Ｆ２０が外部記録機器２１と接続された時点で、認証の手続きが行われ、外部記録機器２１との間で記録のための認証が完了しているとする。
【０１４２】
まず暗号化部１７は、出力処理部１２から管理情報および映像情報を受け取り、管理情報において視聴が制限されているか否かを判定する。制限されているときには、暗号化部１７は、鍵管理部１８から受け取った暗号鍵を利用して映像信号を暗号化し、得られた暗号化映像信号を出力する。そして接続対象識別・認証部１９は、録画対象となる外部記録機器２１に対してのみ復号化のための鍵情報を出力する。なお、視聴が制限されていないときには暗号化処理を行うことなく、デジタルＩ／Ｆ２０から映像信号を出力すればよい。
【０１４３】
デジタルＩ／Ｆ２０は、暗号化映像信号や認証信号を外部接続機器に伝送するための信号形式に変換して高速伝送信号として出力する。
【０１４４】
外部記録機器２１および外部表示機器２２は、高速伝送信号を受信可能なデジタルＩ／Ｆと復号化処理を行う復号化部をもつ。ただし、復号化を行うための復号鍵は、接続対象識別・認証部１９で認証された相手として録画対象機器と判別された外部記録機器２１だけが受け取ることができる。復号鍵を受け取った外部記録機器２１は、復号化部において暗号化された映像信号を復号化して、デジタル映像信号を得ることができる。
【０１４５】
たとえば外部記録機器２１は、認証信号に基づいて自己が認証されたことを知ると、プロトコルによって次は鍵情報を受信するための待ち状態に入る。そして鍵情報を受信すると、その後に受信する暗号化映像信号を復号化して、デジタル映像信号を得る。外部記録機器２１は、得られたデジタル映像信号を順次映像情報として記録媒体に記録する。
【０１４６】
なお、ＩＥＥＥ１３９４規格を用いて暗号処理チップ１９０を実装するときには、相手機器との認証プロトコルとしてＤＴＣＰ規格を利用できる。このとき、相手機器の判定には機器ごとに割り当てられる固有ＩＤ情報を用いてもよいし、または、認証に用いられる署名データに含まれる固有情報を用いてもよい。いずれかを用いることにより、録画対象機器を限定できる。特に署名データ内の固有情報を用いるときには、署名データ自体に改竄防止のための技術を導入すれば不正な視聴をより強固に防ぐことが可能となる。
【０１４７】
暗号処理チップ１９０によれば、視聴が制限される番組の映像情報をデジタル出力するときにおいても、認証を受けた特定の外部記録機器にのみ再生可能な状態で映像信号の記録を許可できる。一方、認証を受けていない外部表示機器での視聴を禁止できる。なお認証を受けていない他の外部記録機器においては、再生可能な状態で記録することを禁止できる。
【０１４８】
ここでは、デジタルＩ／ＦとしてＩＥＥＥ１３９４を例にあげて、認証部としてＤＴＣＰ規格を用いて説明したが、それ以外にもイーサネット（登録商標）を利用した伝送形態でも構成可能である。このときは、認証方法としてＤＴＣＰ−ＩＰ規格を用いることができる。
【０１４９】
（実施形態４）
本発明によるデータ処理装置の第４の実施形態は、外部接続されたデジタル放送受信装置によって選局されたデジタル映像信号を受け取って録画し、再生するレコーダである。実施形態１および２によるレコーダと対比すると、本実施形態によるレコーダは選局を自ら行っていない点において相違し、属性情報を利用して視聴を制限するか否かに関する管理情報を生成する点において共通する。
【０１５０】
本実施形態によるレコーダは、予約録画を行うときに特に有用である。一般的な予約録画は、番組の先頭を確実に録画するため、設定された録画開始時刻よりも若干前（たとえば放送開始１０秒前から約１分前）から開始される。よって、録画が開始された直後に属性情報を取得し管理情報を生成すると、前の番組に対し視聴制限の有無を設定することになり、適切ではない。そこで、本実施形態においては、録画開始から一定時間経過後（たとえば２分後）に属性情報を抽出する。
【０１５１】
図１２（ａ）〜（ｃ）を参照しながら、本実施形態によるレコーダの動作を概説する。図１２（ａ）は、順に放送される番組Ａ、Ｂ、Ｃを示す。番組Ｂを予約録画するとき、実際の録画開始時刻は番組Ｂの放送開始時刻よりも一定時間前であり、記録の終了は番組Ｂが終了して一定時間した後となる。図１２（ｂ）は、番組Ｂの予約録画の開始および終了のタイミングを示す。
【０１５２】
属性情報の抽出は、記録開始と同時には行われない。録画開始から一定時間経過した後に抽出が開始される。図１２（ｃ）は、録画開始から時間ｔが経過した後に属性情報を抽出していることを示す。なお時間ｔは１分、より好ましくは２分である。これにより、予約録画を意図した番組の視聴制限情報とガイド情報とが取得される。
【０１５３】
以下、図１３を参照しながら、本実施形態によるレコーダを説明する。
【０１５４】
図１３は、本実施形態によるレコーダ２３０の詳細な機能ブロックの構成を示す。レコーダ２３０の構成要素の多くは、実施形態２によるレコーダ２２０に含まれる構成要素と共通している。図１３においては、そのような共通の機能を有する構成要素には図９の構成要素と同じ名称および同じ番号を付し、その説明を省略する。新たな構成要素について、その処理を説明する。
【０１５５】
レコーダ２３０は、デジタルＩ／Ｆ２０および制御部２３を備えている。デジタルＩ／Ｆ２０は、外部接続されたデジタル放送受信装置（いわゆるデジタルチューナ）（図示せず）および表示デバイスと、レコーダ２３０とを接続するために設けられており、たとえばＩＥＥＥ１３９４規格の高速シリアルインターフェースである。
【０１５６】
デジタルＩ／Ｆ２０は、録画時においてデジタル放送チューナからデジタル映像信号を受け取る。このデジタル映像信号は、映像情報と属性情報とを含んでいる。またデジタルＩ／Ｆ２０は、ＨＤＤ１０に録画された番組の再生時に、その映像情報および属性情報を含む信号を表示デバイスに出力する。
【０１５７】
デジタルＩ／Ｆ２０に入力されるデジタル映像信号は、実施形態１および２と同様に、ＥＩＴ、ＰＭＴ、ＳＩＴ等のテーブル内に番組の属性情報を含んでいる。チューナとレコーダとが独立した機器として設けられているときは、属性情報は、ＰＭＴおよびＳＩＴ内に含まれることが多い。その理由は、チューナから出力されるデジタル映像信号は、ＥＩＴを含まないパーシャルＴＳ（図３（ｂ））であることが多いためである。
【０１５８】
さらにデジタルＩ／Ｆ２０は、操作信号を受け取る。デジタルＩ／Ｆ２０がＩＥＥＥ１３９４規格に準拠したＩ／Ｆであるとき、操作信号は非同期（Ａｓｙｎｃｈｒｏｎｏｕｓ）転送されるＡＶＣコマンドセットである。またこのとき、デジタル映像信号は同期転送されるＭＰＥＧ信号である。
【０１５９】
なお、ＡＶＣコマンドセットは、操作対象となる機器のカテゴリーごとに整備されたコマンド体系である。ＡＶＣコマンドセットを利用すると、レコーダ２３０と接続されたデジタル放送チューナは、レコーダ２３０の記録・再生動作を制御できる。
【０１６０】
制御部２３は、ユーザが希望する動作に関する動作指示信号を操作部１３から受け取り、動作指示信号に基づいて番組の録画および再生に必要な制御を行う。録画時には、制御部２３はＨＤＤ１０に映像信号を送り、映像情報の記録を指示する。再生時には、制御部２３はＨＤＤ１０から読み出された映像信号を受け取る。また制御部２３は、ＧＵＩ生成部１１から出力されるＧＵＩ映像信号を受け取ってデジタル映像信号として出力する。
【０１６１】
ここで、図１４を参照しながら、ＧＵＩ生成部１１の構成の例を説明する。図１４は、ＧＵＩ生成部１１の具体的な構成を示す。この構成は、デジタル映像信号がＴＳフォーマットであるときに好適である。
【０１６２】
ＴＳフォーマットで番組の映像情報が伝送されるデジタル放送の環境においては、受信装置にはＢＭＬ（Ｂｒｏａｄｃａｓｔ  Ｍａｒｋｕｐ  Ｌａｎｇｕａｇｅ）と呼ばれる言語で放送画面を記述し、データ放送の信号として出力する機能が標準で搭載されている。ＧＵＩ生成部１１は、その機能を実現するための構成である。
【０１６３】
ＧＵＩ生成部１１は、定形データメモリ２４、データ挿入部２５およびＴＳ生成部２６を備えている。定形データメモリ２４は、定形データを格納する。定形データとは、ＢＭＬで記述されるデータ放送画面の雛型である。
【０１６４】
データ挿入部２５は、定形データメモリ２４から定形データを読み出し、またＨＤＤ１０から再生される番組の管理情報を受け取る。そしてデータ挿入部２５は定形データに管理情報を挿入し、挿入後の画面をＢＭＬで記述して出力する。ＴＳ生成部２６はＢＭＬデータをＭＰＥＧ−ＴＳ形式のデータ単位（パケット）に分割してＧＵＩ映像信号として送出する。
【０１６５】
再び図１３を参照する。レコーダ２３０のデジタル属性情報抽出部３は、録画が開始された後、所定時間ｔが経過すると属性情報を取得する。時間ｔは、予約録画実行時において、予約設定された時刻と、実際に録画を開始する時刻との差の１倍から２倍程度であればよい。たとえば、レコーダ２３０が、予約設定された時刻よりも１分前に録画を開始するとき、時間ｔは約１分〜２分である。時間ｔは予めレコーダ２３０の出荷時において決定しておけばよい。
【０１６６】
上述のデジタル属性情報抽出部３の動作は、チューナが外部接続されている本実施形態によるレコーダ２３０において好適である。その理由は以下のとおりである。
【０１６７】
実施形態１および２のレコーダのように、デジタル放送波のチューナと記録装置とがひとつの筐体に内蔵されていれば、予約番組の実際の放送開始の通知をチューナから受け取ってデジタル属性情報抽出部３の動作開始タイミングを制御できる。しかし、本実施形態によるレコーダ２３０のようにチューナが外部接続されているときは、必ずしも番組開始のタイミングを正確に受け取ることができるとは限らない。よって、予約録画を予約設定された時刻よりも早く開始する必要がある。このとき、上述のタイミングでデジタル属性情報抽出部３を動作させることにより、ユーザが予約録画を設定した番組の属性情報を的確に取得することができる。
【０１６８】
次に、レコーダ２３０の動作を説明する。以下では、特に好適な使用形態である予約録画動作を説明する。ただし、実施形態１によるレコーダ２１０と相違する動作を説明し、共通する動作の説明は省略する。先に説明した実施形態１によるレコーダ２１０の変形例もまた、本実施形態によるレコーダ２３０の変形例となるため、特に言及はしない。
【０１６９】
レコーダ２３０は、ユーザからの操作信号とデジタル映像信号とをデジタルＩ／Ｆ２０において外部から受け取る。
【０１７０】
操作部１３は操作信号を解析して、動作指示信号を生成し、制御部２３に出力する。制御部２３は、この動作指示信号を受け取って、指示された動作を実現するために各構成要素を制御する。
【０１７１】
動作指示信号が記録動作を指示しているとき、制御部２３は、デジタル映像信号をＨＤＤ１０へ送り、ＨＤＤ１０に記録を指示する。実際には、連続して入力される映像信号は、映像情報としてバッファメモリなどの一時記憶媒体（図示せず）に蓄積され、ある程度のデータサイズを有するデータ単位ごとにＨＤＤ１０に記録される。同時に管理情報生成部９は管理情報を生成してＨＤＤ１０へ出力する。
【０１７２】
なお、ＨＤＤ１０がＡＴＡ／ＡＴＡＰＩ規格に準拠するときは、映像情報は５１２バイト（１セクタ）の整数倍のデータ単位でＨＤＤ１０に記録される。なおＨＤＤ１０に代えて記録型光ディスクが用いられたときも同様である。またＨＤＤ１０に代えて半導体メモリが用いられたときは、バイト単位、または、その半導体メモリに特有のページあるいはセクタの整数倍のデータサイズで記録される。
【０１７３】
さらに制御部２３は、実施形態１および２における選局部８と同様、管理情報生成部９が必要な情報を効率よく取り出すように働く。具体的には制御部２３は、デジタル属性情報抽出部３やパターン判定／抽出部５に対して実行すべき処理の種類や優先順位を指示する。
【０１７４】
一方、動作指示信号が再生動作を指示しているとき、制御部２３は、ＨＤＤ１０に対して映像情報の読み出しを指示する。そして制御部２３は映像情報をデジタル映像信号として出力する。デジタル映像信号はデジタルＩ／Ｆ２０を介して外部接続された機器、たとえば表示デバイスへと出力される。また制御部２３はＨＤＤ１０に対して管理情報の読み出し、およびＧＵＩ生成部１１への出力を指示する。
【０１７５】
ＧＵＩ生成部１１は、ＨＤＤ１０から管理情報を受け取り、ＨＤＤ１０に記録されている記録番組の一覧を表示させるためのデータを作成してＧＵＩ映像信号として出力する。このときＧＵＩ生成部１１は、管理情報に基づいて視聴が制限された番組の番組名を含まない一覧を生成し、そのＧＵＩ映像信号を出力する。
【０１７６】
制御部２３は、受け取ったＧＵＩ映像信号をそのままデジタル映像信号として出力する。このデジタル映像信号はデジタルＩ／Ｆ２０を介してレコーダ２３０の外部に出力される。この信号を受け取ったデジタル機器はデータ放送としてその内容を解釈し、その信号に基づく画面をユーザに提供できる。
【０１７７】
なお、制御部２３は、ＧＵＩ映像信号とコンテンツの映像信号とを独立して出力しなくてもよい。たとえば制御部２３は、ＧＵＩ映像信号と映像信号とを多重化してデジタル映像信号を生成し、出力することもできる。このときは、ユーザは映像がはめ込まれたデータ放送画面で、その映像を視聴できる。
【０１７８】
ＧＵＩ生成部１１の他の具体例として、管理情報に基づいて表示画面のイメージデータを作成する画像生成部と、そのデータをＭＰＥＧフォーマットに符号化するエンコーダと備えていてもよい。
【０１７９】
なおＧＵＩ生成部１１は、管理情報に基づいて視聴が制限されていない番組の一覧を生成することも可能であるし、制限解除信号の受信に応答してすべての番組の一覧を生成することも可能である。制限解除信号は、操作部１３が特殊コマンドを受信したときに操作部１３から番組管理部１５に発せられる。この特殊コマンドは、視聴制限解除を指示するためにＡＶＣコマンドセットに予め定めることができる。
【０１８０】
さらに、操作部１３に、赤外線受信やシリアル転送手段などの電気・電波・磁気・光・不可視光線などを用いて外部と通信する手段を追加してもよい。そして、リモコン、携帯通信機器、コンピュータなどの通信機器を介して、レコーダ２３０がユーザの指示を直接受信してもよい。そのユーザの指示の中には、パターン判定／抽出部５に直接与えられ、パターン判定／抽出部５のパターン判定の基準として利用される情報が含まれてもよい。たとえば、１５歳以下の視聴者に対して番組の視聴を制限したいときには、ユーザは操作部１３からパターン判定／抽出部５に対し、「１５歳以下」に「番組の視聴制限をかけること」を直接指示する。パターン判定／抽出部５は、その指示に基づいてパターン判定の基準を［Ｒ−１５］に設定する。
【０１８１】
また、デジタルＩ／Ｆ２０に暗号化・復号化機能を持たせるとともに、暗号の鍵管理部を設けることにより、デジタル映像信号を暗号化して送受信してもよい。このとき、本実施形態におけるレコーダ２３０は、実施形態３における外部記録機器となり得る。
【０１８２】
また、デジタル映像信号の伝送媒体としてネットワークを利用してもよい。そのときは、デジタルＩ／Ｆ２０はイーサネット（登録商標）に準拠したＩ／Ｆを用いることができる。
【０１８３】
（実施形態５）
本発明によるデータ処理装置の第５の実施形態は、外部接続されたデジタル放送受信装置からアナログ映像信号と属性情報とを別々に受け取り、番組を録画するレコーダである。実施形態１および２によるレコーダと対比すると、本実施形態によるレコーダは選局を自ら行っていない点において相違し、属性情報を利用して視聴を制限するか否かに関する管理情報を生成する点において共通する。
【０１８４】
図１５は、本実施形態によるレコーダ２４０の詳細な機能ブロックの構成を示す。レコーダ２４０は、デジタル放送受信装置２４１と接続され、また表示デバイス１４とも接続されている。レコーダ２４０およびデジタル放送受信装置２４１は録画システムを構成し、またレコーダ２４０および表示デバイス１４は再生システムを構成する。
【０１８５】
レコーダ２４０およびデジタル放送受信装置２４１の構成要素の多くは、実施形態１によるレコーダ２１０、および、実施形態２によるレコーダ２２０に含まれる構成要素と共通している。図１５においては、そのような共通の機能を有する構成要素には図２の構成要素と同じ名称および同じ番号を付し、共通する説明を省略する。異なる処理を行う構成要素について、その処理を説明する。
【０１８６】
デジタル放送受信装置２４１は、デジタル放送波を受信して、アナログ映像信号および属性情報を出力する。デジタル放送受信装置２４１は、たとえばデジタル放送のためのセットトップボックスまたはチューナとして実現される。
【０１８７】
デジタル放送受信装置２４１は、デジタル放送受信部１と、デジタル属性情報抽出部３と、ＮＴＳＣ変換器２７と、送信部３０とを備えている。このうちＮＴＳＣ変換器２７は、デジタル映像信号の映像を、画面（フレーム）ごとのＲＧＢ信号成分に分解した後、規格化されたＮＴＳＣ信号を生成し、アナログ映像信号を出力する。送信部３０は、属性情報をデジタル放送受信装置２４１の外部へ出力する。たとえば送信部３０は、属性情報を、シリアル伝送フォーマットの電気信号、赤外線信号等の伝送信号に変換する。
【０１８８】
なおデジタル放送受信部１は、図２に示す選局部８の機能の一部を有していてもよい。たとえば、ユーザから視聴や録画の対象となるチャンネルを特定する操作信号を受け取り、その操作信号によって特定されたチャンネルのデジタル映像信号のみを抽出してもよい。さらに、特定されたチャンネルで複数の番組が放送されているときには、そのうちの１つの番組に関するデータを取り出し、パーシャルＴＳとして出力する。
【０１８９】
レコーダ２４０は、属性情報を受信する受信部３１を有している。受信部３１は、受信した属性情報内に視聴制限情報が含まれているか否かを判定し、含まれるときはその視聴制限情報を管理情報生成部９に送る。また受信部３１は、属性情報中のガイド情報をパターン判定／抽出部５に送る。
【０１９０】
レコーダ２４０のエンコーダ７は、アナログ映像信号を受信してＴＳを生成し、ＨＤＤ１０に送る。ＨＤＤ１０はそのＴＳを番組データとして格納する。なお、デジタル放送受信装置２４１、レコーダ２４０および表示デバイス１４を利用してリアルタイムでデジタル放送を再生することもできる。このときは、エンコーダ７は生成したＴＳを直接出力処理部１２に出力してもよい。
【０１９１】
次に番組を録画するときのレコーダ２４０の動作を説明する。
【０１９２】
デジタル放送受信装置２４１のデジタル放送受信部１は、アンテナ等の外部機器から供給されるデジタル放送波を受信して、番組のデジタル映像信号を出力する。ＮＴＳＣ変換器２７は、デジタル映像信号をアナログ形式のＮＴＳＣ信号へと変換して出力する。同時に、デジタル属性情報抽出部３は、属性情報を抽出する。送信部３０は属性情報をレコーダ２４０に出力する。
【０１９３】
上述のように、デジタル放送受信装置２４１は、アナログ映像情報と属性情報とを常に関連付けてレコーダ２４０へ送信する。
【０１９４】
次に、レコーダ２４０のエンコーダ７は、アナログ映像信号を受け取ってデジタル映像信号に変換する。また、受信部３１は属性情報から視聴制限情報および／またはガイド情報を抽出して、管理情報生成部９および／またはパターン判定／抽出部５に出力する。この後のパターン判定／抽出部５、管理情報生成部９、ＨＤＤ１０およびＧＵＩ生成部１１の処理は、実施形態１によるレコーダ２１０において同名の各構成要素が行う処理と同じである。管理情報生成部９は、視聴制限情報および／またはガイド情報に基づいてその番組に対する視聴制限の有無、レベルを設定し、その設定内容に基づいて適切に視聴を制限できる。
【０１９５】
上述の説明から明らかなように、デジタル放送の番組がアナログ映像に変換された後であっても、レコーダがその番組の属性情報を受け取ることにより、視聴制限の有無やそのレベルを設定できる。レコーダは、設定されたその内容に応じて、視聴が制限されている番組の再生を禁止し、ＨＤＤ１０に記録された全番組の中から不適切な番組を除いた一覧を作成することができる。
【０１９６】
これまで説明した実施形態においては、管理情報は図５（ａ）に示すデータ構造を有するとした。しかし、他のデータ構造を採用することもできる。たとえばガイド情報の中に含まれていた視聴制限を設定すべきパターンそのものを、図５（ａ）中の「視聴制限」欄に記述してもよい。さらに、番組タイトルに代えて、または番組タイトルとともに、記録日時の情報を記述してもよい。そして図７および図８において、記録日時のみの情報を表示してもよい。
【０１９７】
上述の実施形態においては、視聴とは、番組の映像を見てその音声を聞くことのみならず、映像のみを見ることを含む。また、放送は電波を利用して行われるのみならず、データ通信ネットワークを利用して行われてもよい。
【０１９８】
上述の種々の実施形態において説明した管理情報生成部は、コンピュータプログラムを実行するレコーダのＣＰＵであるとした。しかし、汎用のＣＰＵに代えて特定用途向けの半導体集積回路（Application Specific Integrated Circuit；ＡＳＩＣ）として実装することもできる。その回路にはさらに、図１に示すパターン判定部１２３、図２に示すパターン判定／抽出部の機能を統合することも可能である。特に、米国において放送受信装置への実装が義務付けられたＶチップに、上述のパターン判定／抽出部および管理情報生成部の機能を追加すれば、より確実かつ適切な視聴制限の設定が可能になる。
【産業上の利用可能性】
【０１９９】
本発明にかかるデータ処理装置は、規格として定められた視聴制限情報が含まれない放送番組に対しても、同時に取得されるガイド情報を利用して視聴制限の有無を設定し、設定されたその内容に応じて番組の出力を制御できる。
【図面の簡単な説明】
【０２００】
【図１】実施形態１によるレコーダ１００の概略的な機能ブロックの構成を示す。
【図２】実施形態１によるレコーダ２１０の詳細な機能ブロックの構成を示す。
【図３】（ａ）はＴＳのパケット配列の例を示す図であり、（ｂ）はパーシャルＴＳのパケット配列の例を示す図である。
【図４】（ａ）はＥＩＴテーブルのデータ構造を示す図であり、（ｂ）〜（ｄ）はＥＩＴテーブルの具体例を示す図である。
【図５】（ａ）は管理情報１１０ｂのデータ構造を示す図であり、（ｂ）〜（ｄ）は、それぞれ図４（ｂ）〜（ｄ）に示すＥＩＴテーブルから生成された管理情報を示す図である。
【図６】レコーダ２１０の録画処理の手順を示すフローチャートである。
【図７】（ａ）〜（ｃ）は、それぞれＧＵＩ生成部１１が生成するＧＵＩ画面の表示例を示す図である。
【図８】（ａ）〜（ｄ）は、それぞれ視聴が制限された番組に関する一覧表での表示例を示す図である。
【図９】実施形態２によるレコーダ２２０の詳細な機能ブロックの構成を示す図である。
【図１０】（ａ）は、視聴制限されていない番組１、番組３、番組４と、視聴制限されている番組２とが混在して記録されたＨＤＤ１０を示す図であり、（ｂ）は視聴制限が解除された状態において記録日時に従って再生される番組の順序を示す図であり、（ｃ）はデフォルト状態において記録日時に従って再生される番組の順序を示す図である。
【図１１】実施形態３による暗号処理チップ１９０の構成を示す図である。
【図１２】（ａ）〜（ｃ）は、番組Ｂを予約録画するための録画開始時刻および録画終了時刻と、番組Ｂの属性情報を抽出する時刻との関係を示す図である。
【図１３】実施形態４によるレコーダ２３０の詳細な機能ブロックの構成を示す。
【図１４】実施形態４によるＧＵＩ生成部１１の具体的な構成を示す図である。
【図１５】実施形態５によるレコーダ２４０の詳細な機能ブロックの構成を示す図である。
【符号の説明】
【０２０１】
１００  レコーダ
１１０  記録装置
１１０ａ  番組データ
１１０ｂ  管理情報
１２０  チューナ
１２１  受信部
１２２  選局部
１２３  パターン判定部
１３０  管理情報生成部
１４０  操作パネル
１５０  ビデオチップ（出力制御部）
１５１  ＧＵＩ生成部
１５２  出力処理部
【図１】
2006186981.tif 000003
【図２】
2006186981.tif 000004
【図３】
2006186981.tif 000005
【図４】
2006186981.tif 000006
【図５】
2006186981.tif 000007
【図６】
2006186981.tif 000008
【図７】
2006186981.tif 000009
【図８】
2006186981.tif 000010
【図９】
2006186981.tif 000011
【図１０】
2006186981.tif 000012
【図１１】
2006186981.tif 000013
【図１２】
2006186981.tif 000014
【図１３】
2006186981.tif 000015
【図１４】
2006186981.tif 000016
【図１５】
2006186981.tif 000017